(57)【要約】【課題】バッテリーの着脱を容易にすることを目的とする。【解決手段】器具本体１００は、凹部２５０を備える。第１の光源部３０は、凹部２５０に取り付けられる。バッテリー１７０は、第１の光源部３０と隣接して、凹部２５０に少なくとも一部が収納される。蓋部１０００は、凹部２５０においてバッテリー１７０に対応する位置に開閉可能に取り付けられ、開状態ではバッテリー１７０を露出させ、閉状態ではバッテリー１７０を覆っている。【選択図】図５
2019200857.tif 000002
【特許請求の範囲】
【請求項１】
凹部を備えた器具本体と、
前記凹部に取り付けられる光源ユニットと、
前記光源ユニットと隣接して、前記凹部に少なくとも一部が収納されるバッテリーと、
前記凹部において前記バッテリーに対応する位置に開閉可能に取り付けられ、開状態では前記バッテリーを露出させ、閉状態では前記バッテリーを覆っている蓋部と
を備えた照明器具。
【請求項２】
前記蓋部は、開閉時に前記光源ユニットに干渉しないように前記凹部に取り付けられた請求項１に記載の照明器具。
【請求項３】
前記凹部は、前記バッテリーが装着される開口を有している請求項１または請求項２に記載の照明器具。
【請求項４】
前記器具本体は、前記開口に挿し込まれたブラケットと、前記ブラケットに取り付けられたコネクタとを備え、
前記バッテリーは、前記ブラケットに挿し込まれた状態で前記凹部に収納され、
前記コネクタは、前記バッテリーが前記ブラケットに挿し込まれた状態で前記バッテリーと接続される請求項３に記載の照明器具。
【請求項５】
凹部を備えた器具本体と、
前記凹部に取り付けられ、前記凹部の一部を覆う光源ユニットと、
前記光源ユニットと隣接し、かつ、前記光源ユニットに覆われていない前記凹部の開口部分を覆うように前記凹部に設けられ、前記凹部の開口部分を閉塞状態と開放状態とするように開閉可能な蓋部と
を備えた照明器具。
【請求項６】
前記凹部のうち、前記蓋部で覆われる部分は、電気部品が格納される格納部である請求項５に記載の照明器具。
【請求項７】
前記凹部のうち、前記蓋部で覆われる部分は、被取付部に取り付ける取付機構が設けられた取付部である請求項５または請求項６に記載の照明器具。
【発明の詳細な説明】
【技術分野】
【０００１】
本発明は、照明器具に関する。
【背景技術】
【０００２】
従来から、階段の踊り場といった避難経路に設置される非常用照明器具が開示されている。特許文献１の照明器具では、非常時に用いられるバッテリーが照明器具の内部に収納されている。
【先行技術文献】
【特許文献】
【０００３】
【特許文献１】特開２０１５−０８８４３３号公報
【発明の概要】
【発明が解決しようとする課題】
【０００４】
特許文献１の照明器具では、バッテリーの着脱をする際、光源ユニットを器具本体から取り外さなければならず、作業性に劣るという課題がある。
【０００５】
本発明は、バッテリーの着脱を容易にすることを目的とする。
【課題を解決するための手段】
【０００６】
本発明に係る照明器具は、凹部を備えた器具本体と、前記凹部に取り付けられる光源ユニットと、前記光源ユニットと隣接して、前記凹部に少なくとも一部が収納されるバッテリーと、前記凹部において前記バッテリーに対応する位置に開閉可能に取り付けられ、開状態では前記バッテリーを露出させ、閉状態では前記バッテリーを覆っている蓋部とを備えた。
【発明の効果】
【０００７】
本発明に係る照明器具は、バッテリーは、光源ユニットと隣接して、凹部に少なくとも一部が収納される。蓋部は、凹部においてバッテリーに対応する位置に開閉可能に取り付けられる。また、蓋部は、開状態ではバッテリーを露出させ、閉状態ではバッテリーを覆っている。よって、本発明に係る照明器具によれば、バッテリーの着脱を容易にするとともに意匠性を向上させることができる。
【図面の簡単な説明】
【０００８】
【図１】実施の形態１における照明器具の斜視図。
【図２】実施の形態１における照明器具の三面図。
【図３】実施の形態１における照明器具であり、（ａ）が側面図、（ｂ）が側断面図。
【図４】実施の形態１における照明器具の分解斜視図。
【図５】実施の形態１におけるバッテリーの取り外し工程を示す図。
【図６】実施の形態１における第１の光源部の前面斜視図。
【図７】実施の形態１における第１の光源部の背面斜視図。
【図８】実施の形態１における第１の光源部の分解斜視図。
【図９】実施の形態１における第２の光源部であり、（ａ）がレンズ用開口を示す図、（ｂ）がレンズ１５００を示す図。
【図１０】実施の形態１における照明器具１の取り付け状態を示す図。
【発明を実施するための形態】
【０００９】
以下、本発明の実施の形態について、図を用いて説明する。なお、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、あるいは部品の配置および向きを限定するものではない。
【００１０】
実施の形態１．
＊＊＊構成の説明＊＊＊
図１は、本実施の形態における照明器具１の斜視図である。
図２は、本実施の形態における照明器具１の三面図である。
図３は、本実施の形態における照明器具１であり、（ａ）が側面図、（ｂ）が側断面図である。
図４は、本実施の形態における照明器具１の分解斜視図である。
【００１１】
本実施の形態に係る照明器具１は、例えば、建物の避難経路となる階段の踊り場の壁面あるいは天井面に設置される照明器具である。照明器具１が取り付けられる壁面あるいは天井面を被取付部５００とする。
図１から図３に示すように、照明器具１は、器具本体１００と、第１の光源部３０と、第２の光源部４０とを備える。器具本体１００は、本体部１０と本体カバー２０を備える。
本体部１０は、被取付部５００に取り付けられる。本体部１０は、壁面あるいは天井面といった被取付部５００に固定される部材であり、長尺形状を成す。本体カバー２０は、本体部１０を覆って本体部１０に取り付けられる。本体カバー２０は、長尺形状を成し、本体部１０の前面側に固定される。本体カバー２０は、器具外郭および意匠部を兼ねている。第１の光源部３０は、長尺の光源ユニットであり、本体カバー２０に取り付けられる。第１の光源部３０は、常用時に点灯する光源であり、光源ユニットの例である。第２の光源部４０は、第１の光源部３０より小さい光源ユニットであり、本体カバー２０に取り付けられる。第２の光源部４０は、非常時に点灯する非常用光源である。
【００１２】
＜器具本体１００の本体部１０＞
図４に示すように、器具本体１００には、端子台１３０、非常用制御ユニット１４０、人感センサ１５０、センサ制御ユニット１６０、バッテリー１７０、点検スイッチ１８０、およびインジケータ１９０といった機器が配置される。これらの機器は、本体部１０に配置され、器具本体１００の内部に収容される。
【００１３】
本体部１０は、長尺を成し、被取付部５００に取り付けられる。本体部１０は、図３の（ｂ）および図４に示すように、短手方向視において略コの字状をしている。本体部１０は、壁面である被取付部５００に取り付けられる本体底面部１１１と、本体底面部１１１の上端から本体底面部１１１と略垂直に突設する上側面部１１２と、本体底面部１１１の下端から本体底面部１１１と略垂直に突設し、上側面部１１２より短い下側面部１１３とを有する。天井面を被取付部５００とした場合、上側面部１１２が天井面に取り付けられる。本実施の形態では、照明器具１が壁面といった被取付部５００に取り付けられるものとして説明する。
本体底面部１１１は、本体部１０を被取付部５００に取り付けるための取付孔１１１ａと、商用電源から電力供給を受けるために電源線を引き込む電源孔１１１ｂが設けられている。取付孔１１１ａの前面側には、取付孔１１１ａを覆うカバー取付台１５１が設けられる。カバー取付台１５１の上面部には本体カバー２０の底部２１４が当接して固定される。また、カバー取付台１５１の上面部には取付孔１１１ａと連通する台取付孔１２２ａが形成される。また、本体部１０は、略コの字状でなくともよく、下側面部１１３を有さない略Ｌ字状でもよい。
【００１４】
＜＜器具本体１００に配置される機器の説明＞＞
端子台１３０は、本体部１０に配置され、常用時に第１の光源部３０に電源を供給する電源線を接続する。端子台１３０には、電源孔１１１ｂに挿通された電源線が接続される。また、端子台１３０には、第１の光源部３０の電源装置２４０、非常用制御ユニット１４０、およびセンサ制御ユニット１６０といった機器に給電するための給電線が接続される。
【００１５】
非常用制御ユニット１４０は、本体部１０に配置され、第２の光源部４０を点灯させる。非常用制御ユニット１４０は、本体カバー２０が本体部１０に取り付けられると、斜面部２１１の内側に配置される。
非常用制御ユニット１４０は、充電回路と、切替部と、非常用点灯回路とを備える。充電回路は、商用電源から供給される電力をバッテリー１７０に供給し、バッテリー１７０を充電させる。切替部は、商用電源からの給電状況に応じて、バッテリーを充電回路に接続する状態と、バッテリー１７０を非常用点灯回路に接続する状態とを択一的に切り替える。バッテリーを充電回路に接続する状態を非停電状態あるいは常用時という。また、バッテリー１７０を非常用点灯回路に接続する状態を停電状態あるいは非常時という。非常用点灯回路は、非常時にバッテリー１７０からの電力供給を受け第２の光源部４０を点灯させる。非常用制御ユニット１４０は、非常時に点灯する第２の光源部４０と接続される。
【００１６】
人感センサ１５０は、斜面部２１１の長手方向の中央部に配置されている。人感センサ１５０は、ＳＨＦ帯のマイクロ波を送信し、かつ、物体に反射した反射波を受信し、ドップラー効果に起因した送信波と受信波（反射波）との周波数差に基づいて移動体を検出する。そして、人感センサ１５０は、人あるいは開閉される扉といった移動体を検出したときに検出信号をセンサ制御ユニット１６０に出力する。ただし、人感センサ１５０として、マイクロ波および反射波のような電波の代わりに超音波の送受波によって移動体を検出するものを用いてもよい。また、赤外線といった熱源を検知する焦電センサを用いてもよい。
【００１７】
センサ制御ユニット１６０は、人感センサ１５０から検出信号が出力されていない場合、第１の光源部３０を点灯させる電源装置２４０を停止させて第１の光源部３０を消灯させるか、あるいは、定格よりも十分に少ない電力を供給させて第１の光源部３０調光点灯させる。なお、電源装置２４０が第１の光源部３０を調光点灯する方法としては、電流値、すなわち振幅値を変化させる方法、あるいは、電流を供給する期間を変化させて単位時間当たりの供給電力を増減する方法がある。
また人感センサ１５０から検出信号が出力された場合、センサ制御ユニット１６０は、電源装置２４０を制御して定格出力を供給させることにより、第１の光源部３０を定格点灯させる。また、センサ制御ユニット１６０は、人感センサ１５０から検出信号が出力されなくなった時点から所定の待機時間が経過したら、電源装置２４０を制御して第１の光源部３０を消灯または調光点灯させる。ただし、待機時間内に再度検出信号が出力された場合、センサ制御ユニット１６０は待機時間の計時をリセットし、第１の光源部３０を定格点灯させ続ける。
【００１８】
バッテリー１７０は、第１の光源部３０と隣接して、凹部２５０に少なくとも一部が収納される。バッテリー１７０は、電源線から供給される電源を蓄電し、非常時に第２の光源部４０に電源を供給する。バッテリー１７０は、非常用制御ユニット１４０を介して供給される電力を蓄える。また、バッテリー１７０は、非常時には、非常用制御ユニット１４０に電力を供給し、第２の光源部４０を点灯させる。バッテリー１７０は、本体カバー２０の開口１３１０に挿し込まれたブラケット１１００に保持される。バッテリー１７０の保持方法については後述する。
【００１９】
点検スイッチ１８０は、非常用制御ユニット１４０の切替部を強制的に非停電状態に切り替え、非常用点灯回路が正常に動作することを確認する作業、すなわち点検作業に用いられる。インジケータ１９０は、バッテリー１７０の充電状態を示す。
点検スイッチ１８０およびインジケータ１９０は、本体底面部１１１において斜面部２１１の内側に対応する位置に固定される。点検スイッチ１８０は、斜面部２１１に形成されたスイッチ用開口２１１ｂから露出する。また、インジケータ１９０から発せられる光はスイッチ用開口２１１ｂから作業者により視認可能である。
【００２０】
＜器具本体１００の本体カバー２０＞
器具本体１００は、凹部２５０を備える。具体的には、本体カバー２０は、正面部２１０を開口部分とする凹部２５０と、斜面部２１１とを有する。凹部２５０は、第１の光源部３０を取り付ける。第１の光源部３０は、凹部２５０の一部を覆って、凹部２５０に取り付けられる。正面部２１０は長尺を成しており、長尺の第１の光源部３０を取り付ける。
【００２１】
また、斜面部２１１は、正面部２１０の短手方向の一方の端部である下端部２１０ｅに正面部２１０の長手方向に沿って形成され、第１の光源部３０の照射方向から離れる方向に傾斜している。図３の（ｂ）に示すように、第１の光源部３０の照射方向から離れる方向とは、照明器具１の前面側から背面側に向かう取付方向である。図１に示すように、斜面部２１１は、長尺を成し、第１の光源部３０より小さい第２の光源部４０を取り付ける。照明器具１は、第２の光源部として、少なくとも２つの第２の光源部４０を備える。本実施の形態では、照明器具１は、２つの第２の光源部４０を備えている。２つの第２の光源部の一方の第２の光源部４０は、斜面部２１１の長手方向の一端部に配置される。また、２つの第２の光源部の他方の第２の光源部４０は、斜面部２１１の長手方向の他端部に配置される。
【００２２】
図３の（ａ）に示すように、本体カバー２０は、短手方向視において略五角形状もしくは台形といった多角形形状を成す。凹部２５０は、第１の光源部３０を取り付ける開口である取付開口２１０ａを形成する。取付開口２１０ａの開口面が正面部２１０となる。凹部２５０の下方には斜面部２１１が形成される。
【００２３】
凹部２５０は、溝の底部分となる底部２１４と、上面部２１２と、下面部２１３とを有する。凹部２５０の底部２１４には、本体カバー２０を本体部１０に取り付けた際に、台取付孔１２２ａあるいは電源孔１１１ｂと連通する作業用開口２１０ｄが形成される。また、凹部２５０の底部２１４は、長手方向一端部に、バッテリー１７０が装着される開口１３１０を有している。
正面部２１０および底部２１４は、本体部１０の本体底面部１１１に対して略平行となる。上面部２１２は、底部２１４の上端から、底部２１４に対して垂直もしくは傾斜をもたせて形成される。下面部２１３は、底部２１４の下端から、正面部２１０に対して垂直もしくは傾斜をもたせて形成される。
【００２４】
斜面部２１１は、下面部２１３の先端、すなわち下端部２１０ｅから背面方向、すなわち取付方向に傾斜している。図３の（ａ）に示すように、斜面部２１１の傾斜角θは、正面部２１０に対して、例えば、約３０°から約４５°の角度を有する。斜面部２１１は、正面部２１０の長手方向に沿って長尺に形成される。図３の（ａ）および（ｂ）に示すように、斜面部２１１は、表面が下方に向くように傾斜した平面板であり、第２の光源部４０以外に表面から突出するものはない。また、斜面部２１１は、第２の光源部４０が正面部２１０の延長面（傾斜角θが０°の面）より突出しないように傾斜すると、第２の光源部４０の配光を遮らない構成にすることができる。
第２の光源部４０は、斜面部２１１の長手方向の両端部の内側に配置される。斜面部２１１の長手方向の両端部には、第２の光源部４０の光学制御部であるレンズ１５００の一部を器具外郭から露出させるためのレンズ用開口１４００が形成される。また、斜面部２１１の長手方向の中央部には、人感センサ１５０の一部を器具外郭から露出させる開口部２１１ｆが形成される。また、斜面部２１１には、インジケータ１９０と点検スイッチ１８０を露出させる開口であるスイッチ用開口２１１ｂが形成される。
また、本体カバー２０は、本体カバー２０の長手方向を切った断面に合わせた形状となるカバー端板２２０を、長手方向両端に有する。
【００２５】
本体カバー２０は、凹部２５０においてバッテリー１７０に対応する位置に開閉可能に取り付けられた蓋部１０００を備える。蓋部１０００は、開状態ではバッテリー１７０を露出させ、閉状態ではバッテリー１７０を覆っている。蓋部１０００は、第１の光源部３０と隣接し、かつ、第１の光源部３０に覆われていない凹部２５０の開口部分を覆うように凹部２５０に設けられる。蓋部１０００は、凹部２５０の開口部分を閉塞状態と開放状態とするように開閉可能に設けられる。具体的には、本体カバー２０は、正面部２１０の取付開口２１０ａの一部を覆う蓋部１０００を、正面部２１０の取付開口２１０ａの長手方向の一端部に有する。蓋部１０００は、取付開口２１０ａにおいて、バッテリー１７０が取り付けられた側の開口を塞ぐ。また、本体カバー２０は、正面部２１０の取付開口２１０ａの一部を覆う化粧板部２３０を、正面部２１０の取付開口２１０ａの長手方向の他端部に有する。蓋部１０００と化粧板部２３０とは、正面を向いており、表面は階段の階数表示のような表示面として利用できる。例えば、照明器具１を１階と２階を結ぶ階段の踊り場に設置する場合、図２の化粧板部２３０には「１Ｆ」と表示し、図２の蓋部１０００には「２Ｆ」と表示できる。
取付開口２１０ａには、長尺の第１の光源部３０が配置される。第１の光源部３０は、取付開口２１０ａの中央部分を塞ぐように配置される。取付開口２１０ａにおいて第１の光源部３０が配置されない両側の端部は、化粧板部２３０と蓋部１０００とにより塞がれる。蓋部１０００の取付方法の詳細については後述する。
【００２６】
＜バッテリー１７０の保持機構および蓋部１０００の取付機構＞
図５は、本実施の形態に係るバッテリー１７０の取り外し工程を示す図である。
図４および図５を用いて、バッテリー１７０の保持機構および蓋部１０００の取付機構について説明する。図４に示すように、バッテリー１７０は照明器具１の長手方向の一端部に第１の光源部３０に隣接して設置され、開口１３１０から凹部２５０の内部に配される。バッテリー１７０は、非常時に２つの第２の光源部４０に電力を供給する。バッテリー１７０は、第１の光源部３０が正面部２１０に取り付けられた際に、第１の光源部３０の長手方向の一端部の外側に配置されている。蓋部１０００は、凹部２５０の長手方向の一端部に配されているバッテリー１７０を覆うように取り付けられる。
【００２７】
器具本体１００は、バッテリー１７０の保持機構として、ブラケット１１００と、コネクタ１１１０と、蓋部１０００と、蓋保持部１２００とを備える。
ブラケット１１００は、本体カバー２０の開口１３１０に挿し込まれる。ブラケット１１００は、バッテリー１７０を保持する。すなわち、バッテリー１７０は、ブラケット１１００に挿し込まれた状態で凹部２５０に収納される。
コネクタ１１１０は、ブラケット１１００に取り付けられる。コネクタ１１１０は、バッテリー１７０がブラケット１１００に挿し込まれた状態でバッテリー１７０と接続される。コネクタ１１１０は、非常用制御ユニット１４０と接続された電線と接続される。常用時には、非常用制御ユニット１４０は、バッテリー１７０を充電する。非常時には、非常用制御ユニット１４０は、バッテリー１７０に充電された電力により第２の光源部４０を点灯する。
このように、ブラケット１１００は、バッテリー１７０が挿し込まれるとバッテリー１７０と電気的に接続するコネクタ１１１０を有するので、非常用制御ユニット１４０とバッテリー１７０を接続するための電線を本体部１０に配置することが容易となる。
【００２８】
蓋保持部１２００は、蓋部１０００を開閉可能に保持する。
蓋部１０００は、開閉可能に蓋保持部１２００により保持される。蓋部１０００は、開閉時に第１の光源部３０に干渉しないように凹部２５０に取り付けられている。バッテリー１７０がブラケット１１００に保持されている状態で、蓋部１０００は、バッテリー１７０の前面側を覆って閉状態となる。また、蓋部１０００が開状態になると、バッテリー１７０が器具本体１００から取り外し可能となる。
【００２９】
＜バッテリー１７０を取り外す工程＞
図５では、照明器具１において、バッテリー１７０が取り付けられる側の長手方向一端部を示している。
図５の（ａ）は、照明器具１の各部材が組み立てられた状態を示している。蓋部１０００は、第１の光源部３０と長手方向に隣接して取り付けられている。
【００３０】
図５の（ｂ）は、蓋部１０００の開状態を示している。図５の（ｂ）に示すように、蓋部１０００は、保持部１２００と係合する係合部１２０４を回転の軸として回動可能である。
保持部１２００は、中央底部１２０１と中央底部１２０１の両端部から突出する一対の突出部１２０２とを備える。保持部１２００は、コの字形状に曲げられた金属片である。保持部１２００の中央底部１２０１は、ネジ部１２０３により、本体カバー２０の底部２１４に取り付けられる。保持部１２００の中央底部１２０１は、開口１３１０の縁部に沿って底部２１４に取り付けられる。突出部１２０２は、蓋部１０００と係合する係合部１２０４を備える。
蓋部１０００は、係合部１２０４と係合する蓋側係合部１００１を備える。例えば、蓋側係合部１００１と係合部１２０４とを貫通する軸ネジにより、蓋側係合部１００１と係合部１２０４とが回動可能に係合される。
このとき、保持部１２００と蓋部１０００が係合する係合部１２０４の位置は、第１の光源部３０の長手方向端部より離れた位置に設けられている。これにより、蓋部１０００を回転させたときに第１の光源部３０と干渉しないように可動させることができる。回転の軸が第１の光源部に近いと干渉するおそれがある。もしくは、回動できる範囲が狭くなり、バッテリー１７０が外しにくくなる。
【００３１】
図５の（ｃ）は、蓋部１０００の開状態において、バッテリー１７０をブラケット１１００から外す様子を示している。
図４および図５の（ｃ）に示すように、ブラケット１１００は、ブラケット底部１１０１と、上側の上壁部１１０２と、下側の下壁部１１０３とを備える。上壁部１１０２と下壁部１１０３の先端部には、開口１３１０の縁部に引っ掛かることによりブラケット１１００を、開口１３１０の縁部に係止する係止部１１０４を備える。ブラケット１１００は、ブラケット底部１１０１から開口１３１０に挿し込まれ、係止部１１０４が開口１３１０の縁部に引っ掛かり係止される。
蓋部１０００を開く方向に回動させた開状態で、バッテリー１７０をブラケット１１００から引き抜くことで、バッテリー１７０を照明器具１から取り外すことができる。
【００３２】
バッテリー１７０の取り付け方法は、図５の（ａ）から（ｃ）の逆の手順で行うことができる。このとき、ブラケット１１００は、コネクタ１１１０を開口方向へ突出するように固定するコネクタ固定部１１１１を備える。このようにコネクタ１１１０が開口方向へ突出しているので、バッテリー１７０をブラケットに挿し込むことにより、バッテリー１７０のコネクタ接続部１７１とコネクタ１１１０とが機械的および電気的に接続される。
以上のように、第１の光源部３０を外さなくとも、バッテリー１７０の着脱をすることができ、バッテリー１７０を容易に交換することができる。
【００３３】
＜照明器具１の内部の構成＞
本体部１０と本体カバー２０とを組み合わせた場合の照明器具１の内部の構成について説明する。
図３の（ｂ）に示すように、本体部１０に本体カバー２０が取り付けられると、照明器具１の内部には、点線で囲まれた第１収容部１１と、第１収容部１１の下方で点線に囲まれた第２収容部１２とが形成される。第１収容部１１は、本体底面部１１１から正面部２１０に渡って形成される空間である。また、第２収容部１２は、本体底面部１１１と斜面部２１１の間の空間である。
第１収容部１１には、端子台１３０およびバッテリー１７０といった部品が配設される。また、第２収容部１２には人感センサ１５０、センサ制御ユニット１６０、非常用制御ユニット１４０、点検スイッチ１８０、およびインジケータ１９０といった部品が配置される。第２収容部１２に、人感センサ１５０、センサ制御ユニット１６０、非常用制御ユニット１４０、点検スイッチ１８０、およびインジケータ１９０を配置することで、第１収容部１１に、電源線および給電線といった電線を配置することができる。電源線は、端子台１３０に外部から引き込まれ、商用電源の供給を受けるための電線である。給電線は、端子台１３０と、センサ制御ユニット１６０あるいは第１の光源部３０の電源装置２４０と接続する電線である。なお、端子台１３０は電源装置２４０と着脱自在に接続する端子台接続部を有し、センサ制御ユニット１６０は、電源装置２４０と着脱自在に接続するセンサ接続部を有している。
【００３４】
照明器具１を壁面といった被取付部５００に取り付けた状態であれば、第１の光源部３０は被取付部５００に対して略平行に、かつ、床面に対して略垂直方向に配される。また、第２の光源部４０は、床面に対して約３０°から約４５°の角度となる斜面部２１１に沿った方向に配される。
そのため、第１の光源部３０は、第２の光源部４０により遮られることなく広範囲を照射できる。また、第２の光源部４０は、階段であれば下り階段と踊り場を必要照度で照射することができる。
また、照明器具１を被取付部５００に対し垂直投影して見たときに、第１の光源部３０と第２の光源部４０は同列とはならない箇所に配置される。さらに水平方向で３ｃｍ以上離間させることで、各々の配光範囲に影響を与えることがない。すなわち、図２のＬ１の長さを３ｃｍ以上とすることが好ましい。
【００３５】
凹部２５０の底部２１４には、第１の光源部３０を取り付ける取付部１２０が設置される。取付部１２０は底部２１４にネジ止めされる。取付部１２０は、バネといった弾性素材で形成されており、本体カバー２０の底部２１４に一端が固定されている。取付部１２０は、第１の光源部３０に設けられた取付金具に固定されることにより、第１の光源部３０を本体カバー２０に固定する。図４に示すように、取付部１２０は、底部２１４の長手方向の一端部寄りに取り付けられる。
【００３６】
＜第１の光源部３０＞
図６は、本実施の形態における第１の光源部３０の前面斜視図である。
図７は、本実施の形態における第１の光源部３０の背面斜視図である。
図８は、本実施の形態における第１の光源部３０の分解斜視図である。
第１の光源部３０は、長尺形状をしており、一部が取付開口２１０ａより挿入され収容されることで、本体カバー２０に取り付けられる。第１の光源部３０は、取付開口２１０ａよりやや短く形成されているが、取付開口２１０ａと略同一の長さに形成されていてもよい。
【００３７】
第１の光源部３０は、発光素子３１１が基板３１２に実装された発光部３１０と、発光部３１０が取り付けられるフレーム３２０と、発光部３１０と対向するようにフレーム３２０に取り付けられる長尺形状をしたカバー部３３０と、カバー部３３０の長手方向の両端に設けられたエンドカバー３４０とを備える。また、フレーム３２０には、発光部３１０を点灯させるための電力を供給する電源装置２４０と、本体カバー２０に固定されている取付部１２０と係合して第１の光源部３０を本体カバー２０に着脱自在に固定する取付金具３５０とを有している。カバー部３３０およびエンドカバー３４０は、透過性の材料で形成され、発光部３１０からの光を透過する。カバー部３３０およびエンドカバー３４０を透過した光は、所定の方向を照射する。所定の方向として、主にカバー部３３０は上下方向から正面方向へ照射し、エンドカバー３４０は、第１の光源部３０の長手方向へ照射している。
第１の光源部３０は、本体カバー２０に収容された状態で、カバー部３３０が取付開口２１０ａと同面状になるように収容されている。第１の光源部３０は、本体カバー２０に収容された状態において、発光部３１０が取付開口２１０ａよりも内側になるように配置されている。
【００３８】
発光部３１０は、長尺の基板３１２に発光素子３１１が直線上に複数実装されている。なお、複数実装されている列は、１列のものを図示しているが複数列有していても良い。
【００３９】
フレーム３２０は、金属板を折り曲げで形成されており、発光部３１０が取り付けられる載置部３２１と、カバー部３３０を保持するカバー保持部３２３とを有している。なお、金属板を折り曲げて形成するだけでなく、アルミニウム材料といった金属を成型して形成しても良い。
【００４０】
電源装置２４０は、商用電源から供給される電力を発光部３１０が点灯できる所定の電力に変換し供給する。電源装置２４０は、内側に回路基板が内蔵された電源本体部２４１と、電源本体部２４１の入力側に設けられ端子台１３０の端子台接続部１３１と接続する第１入力部２４２と、同じく入力側に設けられセンサ制御ユニット１６０のセンサ接続部と接続する第２入力部２４３と、出力側に設けられ発光部３１０と接続する出力電線２４４を有している。第１入力部２４２と端子台接続部１３１、および、第２入力部２４３とセンサ接続部は、作業用開口２１０ｄを介して着脱可能に接続する。
第１入力部２４２は商用電源からの電力が供給され、第２入力部２４３はセンサ制御ユニット１６０からの制御信号が入力される。
【００４１】
取付金具３５０は、取付部１２０と係合して第１の光源部３０を本体部１０に固定する。取付金具３５０は、載置部３２１の発光部３１０の反対側に取り付けられている。取付金具３５０は、載置部３２１にネジ止めされる。本実施の形態では、取付金具３５０は、長手方向において電源装置２４０と反対側の端部に設けられている。なお、取付金具３５０は、長手方向において電源装置２４０をはさむよう２つ設けられていてもよい。また、取付部１２０が第１の光源部３０に設けられ、取付金具３５０が本体部１０に設けられてもよい。第１の光源部３０は、本体カバー２０に着脱可能に取り付けられる。
第１の光源部３０の取付工程は次の通りである。まず、取付部１２０を弾性変形して取付金具３５０に引っ掛けることにより、第１の光源部３０は本体カバー２０に着脱可能に取り付けられる。その後、各配線を接続すると良い。
なお、第１の光源部３０は、着脱可能であれば異なる方法で取り付けても良い。
【００４２】
＜第２の光源部＞
図９を用いて、本実施の形態に係る第２の光源部４０について説明する。
第２の光源部４０は、本体カバー２０の斜面部２１１の内側に固定される。配光制御部材であるレンズ１５００は、少なくとも一部分が、本体カバー２０の斜面部２１１に設けられたレンズ用開口１４００から見えるように配置される。第２の光源部４０の照射対象範囲は、例えば廊下であれば床面であり、階段であれば踊り場および階段の範囲である。
【００４３】
図９の（ａ）は、本体カバー２０のレンズ用開口１４００を正面から見た図である。レンズ用開口１４００は楕円形状あるいは小判形状をしている。このような形状をしていることで、図９の（ｂ）に示すような、第２の光源部４０のレンズ１５００の位置がずれないよう固定することができる。また、取り付け方向を間違えないように組み立てすることができる。仮に、レンズ用開口１４００を円形状に形成してしまうと、レンズ１５００を回転して取り付けしてしまう可能性があり、所定の配光を得ることができない可能性がある。レンズ用開口１４００を楕円形状にすることで、間違えて取り付けされることを抑制することができる。
レンズ１５００は、図９の（ｂ）に示すように、第一凸部１５１０と、第二凸部１５２０と、側部凹部１５３０を有している。
【００４４】
図１０は、本実施の形態に係る照明器具１の取り付け状態を示す図である。
照明器具１は、図１０の（ａ）に示すように壁に取り付けすることもあれば、図４の（ｂ）のように天井に取り付けすることもある。レンズ１５００は、このように二通りの使い方をされたときにも所定の配光ができるように第一凸部１５１０と、第二凸部１５２０を形成している。第一凸部１５１０と、第二凸部１５２０はそれぞれ同じ形状にして方向性をなくし組み立て性を向上させても良く、別々の形状にしてより配光制御をしやすくしても良い。
【００４５】
＊＊＊他の構成＊＊＊
＜変形例１＞
本実施の形態では、凹部２５０のうち蓋部１０００で覆われる部分には、バッテリー１７０が格納されていた。しかし、凹部２５０のうち蓋部１０００で覆われる部分に、バッテリー１７０以外の電気部品が格納されていてもよい。例えば、凹部２５０のうち蓋部１０００で覆われる部分を、電源端子台あるいは機能アップのためのオプション機器といった電気部品を格納する格納部としてもよい。
また、凹部２５０のうち蓋部１０００で覆われる部分に、照明器具１を被取付部５００に取り付ける取付機構を設けてもよい。蓋部１０００が開閉可能に取り付けられているので、作業性が向上するとともに意匠性も向上させることができる。
【００４６】
＜変形例２＞
本実施の形態では、レンズ１５００は略楕円形状であるが、略円形状、四角といった多角形状、あるいは同形状を配列させるような複合形状でもよい。
【００４７】
＜変形例３＞
本実施の形態では、第２の光源部４０として、２つの第２の光源部４０を備えている。しかし、第２の光源部４０は照明器具１に対して単体であってもよく、２つより多い複数であってもよい。
【００４８】
＜変形例４＞
取付部１２０を取り付ける取付金具３５０は、長手方向において電源装置２４０をはさむように２つ設けられていてもよい。このとき、取付金具３５０も取付部に対応して載置部３２１に２つ設けられる。
【００４９】
＊＊＊本実施の形態の効果の説明＊＊＊
本実施の形態に係る照明器具１では、蓋部が、第１の光源部に隣接するバッテリーに対応する位置に開閉可能に取り付けられており、開状態ではバッテリーを露出させ、閉状態ではバッテリーを覆っている。本実施の形態に係る照明器具１によれば、第１の光源部を外さなくても、蓋部を開けるだけでバッテリーの取り外し作業を行うことができる。よって、バッテリーを容易に着脱することができる。また、意匠性を向上させることもできる。
【００５０】
また、本実施の形態に係る照明器具１では、蓋部は、開閉時に光源ユニットに干渉しないように凹部に取り付けられている。よって、蓋部を大きく開放することができ、バッテリーの取り外しの作業スペースを確保でき、作業性を向上させることができる。
【００５１】
また、本実施の形態に係る照明器具１では、凹部に、バッテリーが装着される開口を有している。また、本実施の形態に係る照明器具１は、その開口に挿し込まれたブラケットと、ブラケットに取り付けられたコネクタとを備えている。よって、バッテリーを着脱するには、ブラケットに着脱すればよく、バッテリーの着脱がより容易となる。
【００５２】
また、本実施の形態に係る照明器具１では、バッテリーは、ブラケットに挿し込まれた状態で凹部に収納され、コネクタは、バッテリーがブラケットに挿し込まれた状態でバッテリーと電気的に接続される。よって。非常用制御ユニットとバッテリーを接続するための電線の配線が容易となる。
【００５３】
実施の形態１のうち、複数の部分を組み合わせて実施しても構わない。あるいは、この実施の形態のうち、１つの部分を実施しても構わない。その他、この実施の形態を、全体としてあるいは部分的に、どのように組み合わせて実施しても構わない。
なお、上述した実施の形態は、本質的に好ましい例示であって、本発明の範囲、本発明の適用物の範囲、および本発明の用途の範囲を制限することを意図するものではない。上述した実施の形態は、必要に応じて種々の変更が可能である。
【符号の説明】
【００５４】
１  照明器具、１００  器具本体、１１  第１収容部、１２  第２収容部、３０  第１の光源部、４０  第２の光源部、１０  本体部、１１１  本体底面部、１１１ａ  取付孔、１１１ｂ  電源孔、１１２  上側面部、１１３  下側面部、１２０  取付部、１２２ａ
台取付孔、１３０  端子台、１３１  端子台接続部、１４０  非常用制御ユニット、１５０  人感センサ、１５１  カバー取付台、１６０  センサ制御ユニット、１７０  バッテリー、１７１  コネクタ接続部、１８０  点検スイッチ、１９０  インジケータ、２０  本体カバー、２１０  正面部、２１０ａ  取付開口、２１０ｅ  下端部、２１１  斜面部、２１１ｆ  開口部、２１１ｂ  スイッチ用開口、２１０ｄ  作業用開口、２２０  カバー端板、２３０  化粧板部、２５０  凹部、２１４  底部、２１２  上面部、２１３  下面部、２４０  電源装置、２４１  電源本体部、２４２  第１入力部、２４３  第２入力部、２４４  出力電線、３１０  発光部、３１１  発光素子、３１２  基板、３２０  フレーム、３２１  載置部、３２３  カバー保持部、３３０  カバー部、３４０  エンドカバー、３５０  取付金具、３６０  脱落防止部材、１５００  レンズ、５００  被取付部、１０００  蓋部、１００１  蓋側係合部、１１００  ブラケット、１１０１  ブラケット底部、１１０２  上壁部、１１０３  下壁部、１１０４  係止部、１１１０  コネクタ、１１１１  コネクタ固定部、１２００  保持部、１２０１  中央底部、１２０２  突出部、１２０３  ネジ部、１２０４  係合部、１３１０  開口、１４００  レンズ用開口、１５１０  第一凸部、１５２０  第二凸部、１５３０  側部凹部。
【図１】
2019200857.tif 000003
【図２】
2019200857.tif 000004
【図３】
2019200857.tif 000005
【図４】
2019200857.tif 000006
【図５】
2019200857.tif 000007
【図６】
2019200857.tif 000008
【図７】
2019200857.tif 000009
【図８】
2019200857.tif 000010
【図９】
2019200857.tif 000011
【図１０】
2019200857.tif 000012